(57)【要約】【課題】隣接した低圧配電線系統で独立して運用する配電線搬送を使用する低圧配電線搬送システムが存在するときに、独立したシステムの信号の相互干渉を抑圧し安定した運用を行なう。【解決手段】単相３線式の低圧配電線３０の線間を信号伝送路として使用する配電線搬送システムにおいて、信号送信機１に、信号発生器１１と、増幅器１２と、カプラ１３を設け、中性線３０ｃを基準として両端の電圧線３０ａ，３０ｂに同位相かつ同レベルの信号Ｉｓａ，Ｉｓｂを送信し、信号受信機２を、中性線３０ｃといずれか一方の電圧線３０ａ，３０ｂの線間で信号を検出するようにし、低圧配電線３０から高圧配電線３７への信号の漏洩による独立したシステム間の相互干渉を抑圧した。【選択図】        図１
2004242135.tif 000002
【特許請求の範囲】
【請求項１】
単相３線式の低圧配電線の線間を信号伝送路として使用する配電線搬送システムにおける配電線搬送信号送信方法において、
信号送信側では、中性線を基準として両端の電圧線に同位相かつ同レベルの信号を送信し、
受信側では、中性線といずれか一方の電圧線の線間で信号を検出するようにしたことを特徴とする配電線搬送信号送信方法。
【請求項２】
信号を注入する電圧線から重畳された各信号を検出し、信号を送信する毎に、各電圧線間の信号の位相およびレベル差を検出し、次回の送信時における両信号の位相およびレベルの差を最小に制御することを特徴とする請求項１に記載の配電線搬送信号送信方法。
【請求項３】
単相３線式の低圧配電線の線間を信号伝送路として使用する配電線搬送システムを構成する信号送信機において、
信号発生器と、
中性線と一方の電圧線との線間に信号を送出する第１のカプラと、
中性線と他方の電圧線との線間に信号を送出する第２のカプラと
を設け、中性線と一方の電圧線との線間および中性線と他方の電圧線との線間に同位相かつ同レベルの信号を送信するようにしたことを特徴とする信号送信機。
【請求項４】
一方の電圧線に重畳された信号を検出する第１の信号検出回路と、他方の電圧線に重畳された信号を検出する第２の信号検出回路とを設け、信号を送信する毎に電圧線間の信号の位相およびレベル差を検出し、次回の送信時の位相およびレベルの差が最小になるように信号発生器の出力を制御することを特徴とする請求項３に記載の信号送信機。
【発明の詳細な説明】
【０００１】
【発明の属する技術分野】
本発明は、配電線搬送を利用した負荷制御システムと配電線搬送を利用した単方向データ伝送システムを隣接して独立に運用する配電線搬送信号送信方法に関する。
【０００２】
【従来の技術】
単相低圧配電線路を利用した配電線搬送システムにおける配電線路への信号の送信（注入）は、１００Ｖまたは２００Ｖの線間に行なうのが一般的である。このような単相低圧配電線搬送システムの構成を、図３を用いて説明する。
【０００３】
単相低圧配電線搬送システムは、負荷４０が接続された低圧配電線３０ａ，３０ｂ間に信号送信源５０をカプラ５１を介して接続するとともに、信号送信源５０から離れた地点に受信機５２を接続して構成される。低圧配電線３０は、変圧器３５を介して高圧配電線３７に接続されている。
【０００４】
このような低圧単相配電線搬送システムを、複数の低圧配電系統で隣接して使用する場合には、信号周波数における高圧配電線路のインピーダンスが大きいと、隣接する変圧器３５経由の信号の漏洩が発生して、隣接する低圧配電系統間で相互に干渉するおそれがある。
【０００５】
また、低圧配電線搬送信号伝送路方式において、大地接地方式を用いて信号伝送を行うことが提案されている。この方式は、信号源から発信された信号電圧は、商用周波数は通さず周波数信号を通すフィルタを通じて低圧配電線と大地との間に印加され、低圧配電線を伝わりフィルタを通じて受信される。（例えば、特許文献１参照）
【０００６】
さらに、単相３線式の線間方式低圧配電線搬送において、赤相または黒相に信号源を挿入し、赤相と黒相の間にコンデンサを挿入し、信号源からの信号送信により赤相および黒相の両方に信号を逆相注入することによって、配電線の接地線の線路インピーダンスによる電圧低下をなくして端末機での受信信号レベルの低下を防ぐことが提案されている。（例えば、特許文献２参照）
【０００７】
【特許文献１】
特開昭６２−２３５８２９号公報（第３図）
【特許文献２】
特開平１０−２０８１８４号公報（第１図）
【０００８】
【発明が解決しようとする課題】
本発明は、以上のような従来技術の問題点に鑑みてなされたものであり、隣接した低圧配電線系統で独立して運用する配電線搬送を使用する低圧配電線搬送システムが存在するときに、独立したシステムの信号の相互干渉を抑圧し安定した運用を行なうことが可能なシステムを得ることを目的とする。
【０００９】
【課題を解決するための手段】
上記課題を解決するために、本発明は、単相３線式の低圧配電線の線間を信号伝送路として使用する配電線搬送システムにおける配電線搬送信号送信方法において、信号送信側では、中性線を基準として両端の電圧線に同位相かつ同レベルの信号を送信し、受信側では、中性線といずれか一方の電圧線の線間で信号を検出するようにした。これにより、低圧配電線から高圧配電線への信号の漏洩による独立したシステム間の相互干渉を抑圧した。
【００１０】
本発明は、上記配電線搬送信号送信方法において、信号を注入する電圧線から重畳された各信号を検出し、信号を送信する毎に、各電圧線間の信号の位相およびレベル差を検出し、次回の送信時における両信号の位相およびレベルの差を最小に制御するようにした。
【００１１】
本発明は、単相３線式の低圧配電線の線間を信号伝送路として使用する配電線搬送システムを構成する信号送信機において、信号発生器と、中性線と一方の電圧線との線間に信号を送出する第１のカプラと、中性線と他方の電圧線との線間に信号を送出する第２のカプラとを設け、中性線と一方の電圧線との線間および中性線と他方の電圧線との線間に同位相かつ同レベルの信号を送信するようにした。
【００１２】
さらに、本発明は、上記信号送信機において、一方の電圧線に重畳された信号を検出する第１の信号検出回路と、他方の電圧線に重畳された信号を検出する第２の信号検出回路とを設け、信号を送信する毎に電圧線間の信号の位相およびレベル差を検出し、次回の送信時の位相およびレベルの差が最小になるように信号発生器の出力を制御するようにした。
【００１３】
【発明の実施の形態】
本発明にかかる配電線搬送信号送信方法が適用される配電線搬送システムは、低圧配電系統が、１００Ｖと２００Ｖを供給する単相３線方式が採用されていることを利用するシステムであり、信号送信側では、中性線を基準に両側の電圧線に同位相かつ同レベルの信号を送出することで変圧器の磁束を相殺して、高圧側への信号漏洩を抑圧し、信号の受信は、中性線とのいずれか一方の電圧線間で行う。
【００１４】
以下、図１を用いて、本発明にかかる配電線搬送信号送信方法が適用される配電線搬送システムの構成を説明する。
【００１５】
本発明にかかる配電線搬送信号送信方法が適用される配電線搬送システムは、高圧配電線３７に変圧器３５を介して接続された低圧配電線３０に、信号送信機１と、信号受信機２ａおよび信号受信機２ｂを接続して構成される。
【００１６】
信号送信機１は、信号発生器１１と、増幅器１２と、カプラ１３を有して構成される。カプラ１３は、第１の結合トランス１３１ａと第２の結合トランス１３１ｂとを有している。
【００１７】
第１の結合トランス１３１ａの１次巻線１３１ｐａは、一端が結合コンデンサ１３２ａを介して増幅器１２の一方の出力端子に接続され、他端が増幅器１２の他方の出力端子に接続される。第１の結合トランス１３１ａの２次巻線１３１ｓａは、一端が結合コンデンサ１３３ａを介して電圧線３０ａに接続され、他端が中性線３０ｃに接続される。
【００１８】
第２の結合トランス１３１ｂの１次巻線１３１ｐｂは、一端が結合コンデンサ１３２ｂを介して増幅器１２の一方の出力端子に接続され、他端が増幅器１２の他方の出力端子に接続される。第２の結合トランス１３１ｂの２次巻線１３１ｓｂは、一端が結合コンデンサ１３３ｂを介して電圧線３０ｂに接続され、他端が中性線３０ｃに接続される。
【００１９】
信号受信装置２ａは、一端が電圧線３０ａに接続され、他端が中性線３０ｃに接続される。信号受信装置２ｂは、一端が配電線３０ｂに接続され、他端が中性線３０ｃに接続される。
【００２０】
このような構成を有する配電線搬送システムは、中性線３０ｃを基準に両側の電圧線３０ａ，３０ｂに同位相かつ同レベルの信号Ｓａ，Ｓｂを、変圧器３５の２次巻線３５ｓに流れる信号電流Ｉｓａ，Ｉｓｂが逆方向となるように送出することによって、変圧器３５の２次巻線３５ｓに流れる信号電流によって生じる磁束を相殺することができ、高圧配電線３７側への信号漏洩を抑圧することができる。
【００２１】
この実施例の配電線搬送システムによれば、信号発生器から出力される信号によって生じた磁束が、トランスを介して隣接する配電線搬送システムへ漏洩することがなくなる。
【００２２】
上記配電線搬送システムにおいては、低圧配電線３０の１００Ｖ間に接続される負荷のアンバランスに起因して、変圧器３５の電圧線に印加される二つの信号電圧に差が生じる場合がある。この負荷のアンバランスを考慮した、配電線搬送システムの構成を、図２を用いて説明する。
【００２３】
この配電線搬送システムは、電圧線３０ａ、３０ｂの信号を監視する信号検出回路１４ａ、１４ｂを設け、各電圧線３０ａ、３０ｂ上の信号を監視し、監視結果に基づいて各信号Ｓａ，Ｓｂの位相とレベルを制御して、高圧配電線３７側への信号の漏洩を極小化するものである。
【００２４】
この配電線搬送システムは、
▲１▼電圧線３０ａおよび３０ｂ上の信号を検出する信号検出回路１４ａ、１４ｂを設けた点、
▲２▼信号発生器１１がそれぞれ独立した二つの出力Ｓａ，Ｓｂを出力する点、
▲３▼信号発生器１１の出力Ｓａ，Ｓｂをそれぞれ第１の増幅器１２ａと第２の増幅器１２ｂへ出力するようにした点、
▲４▼信号を送信する毎に、信号発生器１１へ信号検出回路１４ａ、１４ｂの出力を入力し、電圧線間の信号の位相およびレベル差を検出し、次回の送信時の信号発生器１１の出力Ｓａ，Ｓｂの位相およびレベルの差が最小になるよう制御する点、
で図１の配電線搬送システムと相違する。その他の点は同じであり、詳細な説明は省略する。
【００２５】
この実施例によれば、電圧線３０ａと中性線３０ｃに接続される負荷と、電圧線３０ｂと中性線３０ｃに接続される負荷のアンバランスに起因して、第１の変圧器１３１ａと第２の変圧器１３１ｂとから出力される信号に位相やレベルの差が生じても、その差を打ち消すことができ、高圧配電線側への信号の漏洩を阻止することができる。
【００２６】
【発明の効果】
本発明によれば、単相３線式の低圧配電線を信号伝送路として使用する配電線搬送システムにおいて、中性線を基準にして両側の電圧線に同位相かつ同レベルの信号を送信することによって、隣接する複数の低電圧配電線系統間の信号干渉を抑制することができる。
【図面の簡単な説明】
【図１】本発明にかかる低圧配電線搬送システムの構成を説明するブロック図。
【図２】本発明の他の実施例にかかる低圧配電線搬送システムの構成を説明するブロック図。
【図３】従来の低圧配電線搬送システム構成を説明するブロック図。
【符号の説明】
１  信号送信機
１１  信号発生器
１２  増幅器
１３  カプラ
１３１  変圧器
１３２  結合コンデンサ
１３３  結合コンデンサ
１４  信号検出回路
２  信号受信機
３０  低圧配電線
３０ａ、３０ｂ  電圧線
３０ｃ  中性線
３５  変圧器
３７  高圧配電線
【図１】
2004242135.tif 000003
【図２】
2004242135.tif 000004
【図３】
2004242135.tif 000005